(57)【要約】【課題】加熱コイル及び加熱コイルの駆動素子に接続されたヒートシンクを冷却する性能を向上させる加熱調理器を得る。【解決手段】排気口が形成された第１筐体と、第１筐体の上に設けられたトッププレートと、トッププレートの下に設けられた加熱コイルと、加熱コイルに高周波電流を供給するインバータ回路に含まれる駆動素子と、加熱コイルと上下に重ならない位置に設けられ、駆動素子に取り付けられたヒートシンクと、吹出口を有する送風機と、内部に流路を有し、流路に収容されるヒートシンクの少なくとも一部を上から覆う導風部とを備え、導風部の流路の出口は、排気口に接続されており、送風機、加熱コイル、ヒートシンク、流路の入口、流路の出口及び排気口は、この順で直線上に配置されている。【選択図】図１２
2019220383.tif 000002
【特許請求の範囲】
【請求項１】
排気口が形成された第１筐体と、
前記第１筐体の上に設けられたトッププレートと、
前記トッププレートの下に設けられた加熱コイルと、
前記加熱コイルに高周波電流を供給するインバータ回路に含まれる駆動素子と、
前記加熱コイルと上下に重ならない位置に設けられ、前記駆動素子に取り付けられたヒートシンクと、
吹出口を有する送風機と、
内部に流路を有し、前記流路に収容される前記ヒートシンクの少なくとも一部を上から覆う導風部とを備え、
前記導風部の前記流路の出口は、前記排気口に接続されており、
前記送風機、前記加熱コイル、前記ヒートシンク、前記流路の入口、前記流路の出口及び前記排気口は、この順で直線上に配置されている
加熱調理器。
【請求項２】
正面視において、前記送風機の前記吹出口の幅の半分以上が、前記流路の前記入口と重なっている
請求項１記載の加熱調理器。
【請求項３】
前記送風機の前記吹出口の開口面を含む面と交差するようにして、前記加熱コイルの底面が配置されており、
前記送風機の前記吹出口の下縁には、前記吹出口から前記導風部に向かう方向に延び、前記吹出口から離れるほど上面が上昇する第１壁が設けられている
請求項１又は請求項２に記載の加熱調理器。
【請求項４】
前記吹出口の前記開口面に対して前記第１壁の前記上面がなす角度は、４５度以下である
請求項３記載の加熱調理器。
【請求項５】
前記送風機の前記吹出口の一部に接続されたダクトを備え、
前記ダクトの出口は、前記導風部の前記入口に対面する位置に設けられている
請求項１〜請求項４のいずれか一項に記載の加熱調理器。
【請求項６】
前記送風機の前記吹出口の側方の縁には、前記吹出口から前記導風部に向かう方向に延び、平面視において前記吹出口から離れるほど前記側方の縁の外側に向かって傾斜する側面を有する第２壁が設けられている
請求項１〜請求項５のいずれか一項に記載の加熱調理器。
【請求項７】
複数の前記ヒートシンクが、前記導風部の前記流路に並列に収容されており、
隣接する前記ヒートシンク同士の間の空間を塞ぐ第１遮蔽部が設けられている
請求項１〜請求項６のいずれか一項に記載の加熱調理器。
【請求項８】
複数の前記ヒートシンクが、前記導風部の前記流路に並列に収容されており、
前記導風部の前記流路は、
前記複数のヒートシンクのそれぞれに対向する複数の前記入口と、
一つの前記出口とを有する
請求項１〜請求項６のいずれか一項に記載の加熱調理器。
【請求項９】
前記送風機からの風の流れ方向において前記駆動素子の上流側を覆う第２遮蔽部を備えた
請求項１〜請求項８のいずれか一項に記載の加熱調理器。
【請求項１０】
前記ヒートシンクは、互いに間隔をあけて配置された複数のフィンを備え、
前記フィンと前記導風部の内面との間の距離は、隣接する前記フィン同士の間の距離よりも小さい
請求項１〜請求項９のいずれか一項に記載の加熱調理器。
【請求項１１】
前記第１筐体には、吸気口が形成されており、
前記トッププレートに垂直な一つの断面上に、前記第１筐体の前記吸気口、前記送風機の吸込口、前記送風機の前記吹出口、前記加熱コイル、前記ヒートシンク、前記流路の前記入口、前記流路の前記出口及び前記排気口が配置されている
請求項１〜請求項１０のいずれか一項に記載の加熱調理器。
【請求項１２】
前記トッププレートの下面から前記第１筐体の底の外表面までの間の距離は、４０ｍｍ以下である
請求項１〜請求項１１のいずれか一項に記載の加熱調理器。
【請求項１３】
前記排気口は、前記第１筐体の四方の側壁のうちの一つに形成されており、
前記排気口が形成された前記第１筐体の前記側壁の外側には、前記排気口を外側から覆うカバーが設けられ、
前記カバーの底には、排水口が形成されている
請求項１〜請求項１２のいずれか一項に記載の加熱調理器。
【請求項１４】
前記第１筐体の下側に接続され、加熱装置を内部に収容する第２筐体を備え、
前記カバーの底には、前記第２筐体の内部と連通する開口が形成されている
請求項１３に記載の加熱調理器。
【請求項１５】
前記加熱コイル、前記駆動素子、前記ヒートシンク、前記送風機、前記導風部からなる第１ユニット及び第２ユニットを備え、
前記第１ユニットと前記第２ユニットとが、前記第１筐体内に並べて配置されており、前記第１ユニットと前記第２ユニットとの間に、前記駆動素子が実装されていない基板を備えた
請求項１〜請求項１４のいずれか一項に記載の加熱調理器。
【発明の詳細な説明】
【技術分野】
【０００１】
本発明は、加熱コイルと、加熱コイルに高周波電流を供給するインバータ回路の駆動素子の熱を放熱するヒートシンクとを備えた加熱調理器に関する。
【背景技術】
【０００２】
加熱コイルを備えた加熱調理器に対して、薄型化したいという要求がある。このような要求を背景として、高発熱素子及びこの高発熱素子が設置されたヒートシンクを、加熱コイルの外周に配置した加熱調理器が提案されている（たとえば、特許文献１参照）。この特許文献１は、加熱コイルとヒートシンクとに向かって、ファン装置から空気が吹き出される構造を開示している。
【先行技術文献】
【特許文献】
【０００３】
【特許文献１】特開２０１３−２６１６９号公報
【発明の概要】
【発明が解決しようとする課題】
【０００４】
特許文献１は、加熱コイルとヒートシンクとが平面視において重ならないように配置してヒートシンクの放熱面積を広くするなど、ヒートシンクの冷却性能を向上させるための提案をしている。しかし、特許文献１では、ファン装置からの冷却風をいかにして効率的に加熱コイル及びヒートシンクに導くかについて、具体的な考慮がなされていない。このため、特許文献１に記載の加熱調理器では、ファン装置からの冷却風が筐体内に拡散してしまい、ヒートシンクに適切に冷却風が供給されず、ヒートシンクが十分に冷却されないおそれがあった。そして、加熱コイル、ヒートシンク及びヒートシンクに設置された高発熱素子が冷却されない構造では、加熱調理器の薄型化も困難である。
【０００５】
本発明は、上記のような課題を背景としてなされたものであり、加熱コイル及び加熱コイルの駆動素子に接続されたヒートシンクを冷却する性能を向上させる加熱調理器を提供するものである。
【課題を解決するための手段】
【０００６】
本発明に係る加熱調理器は、排気口が形成された第１筐体と、前記第１筐体の上に設けられたトッププレートと、前記トッププレートの下に設けられた加熱コイルと、前記加熱コイルに高周波電流を供給するインバータ回路に含まれる駆動素子と、前記加熱コイルと上下に重ならない位置に設けられ、前記駆動素子に取り付けられたヒートシンクと、吹出口を有する送風機と、内部に流路を有し、前記流路に収容される前記ヒートシンクの少なくとも一部を上から覆う導風部とを備え、前記導風部の前記流路の出口は、前記排気口に接続されており、前記送風機、前記加熱コイル、前記ヒートシンク、前記流路の入口、前記流路の出口及び前記排気口は、この順で直線上に配置されているものである。
【発明の効果】
【０００７】
本発明によれば、加熱コイル及びヒートシンクを冷却する性能を向上させることができる。
【図面の簡単な説明】
【０００８】
【図１】実施の形態１に係る加熱調理器１００が設置されたキッチン家具２００の斜視図である。
【図２】実施の形態１に係る加熱調理器１００の斜視図である。
【図３】実施の形態１に係る加熱調理器１００の下側からの斜視図である。
【図４】実施の形態１に係る加熱調理器１００の、トッププレート１及び排気口カバー５が取り外された状態の斜視図である。
【図５】実施の形態１に係る加熱調理器１００の内部構造を説明する背面側斜視図である。
【図６】実施の形態１に係る加熱調理器１００の内部構造を説明する斜視図である。
【図７】実施の形態１に係る加熱調理器１００の、導風部１４及び駆動基板１８の背面側斜視図である。
【図８】実施の形態１に係る導風部１４の下側からの斜視図である。
【図９】実施の形態１に係る加熱調理器１００のトッププレート１が取り外された状態の平面図である。
【図１０】実施の形態１に係る加熱調理器１００の、送風機１３を通る横断面模式図である。
【図１１】実施の形態１に係る導風部１４の近傍の構造を説明する模式図である。
【図１２】実施の形態１に係る加熱調理器１００の、前後方向における縦断面模式図である。
【図１３】実施の形態２に係る加熱調理器１００の、トッププレート１が取り外された状態の斜視図である。
【図１４】実施の形態２に係る導風部１４の下側からの斜視図である。
【図１５】実施の形態２に係る加熱調理器１００の内部構造を説明する斜視図である。
【図１６】実施の形態２に係る加熱調理器１００の、内部構造を説明する平面図である。
【図１７】実施の形態２に係る加熱調理器１００の、前後方向における縦断面模式図である。
【図１８】実施の形態３に係る加熱調理器１００が設置されたキッチン家具２００の斜視図である。
【図１９】実施の形態３に係る加熱調理器１００の内部構造を説明する斜視図である。
【図２０】実施の形態３に係る加熱調理器１００の、内部構造を説明する斜視図である。
【図２１】実施の形態３に係る加熱調理器１００の下側からの斜視図である。
【図２２】実施の形態３に係る第２筐体４０の斜視図である。
【図２３】実施の形態３に係る加熱調理器１００の内部構造を説明する平面図である。
【図２４】実施の形態３に係る加熱調理器１００の、横断面模式図である。
【図２５】実施の形態３に係る加熱調理器１００の、ダクト３０Ａを通る位置における前後方向の縦断面模式図である。
【図２６】実施の形態３に係る加熱調理器１００の、第２導風部１６Ａを通る位置における前後方向の断面模式図である。
【図２７】実施の形態３に係る加熱調理器１００の、加熱庫５０を通る位置における前後方向の縦断面模式図である。
【図２８】実施の形態３に係る加熱調理器１００の、送風機１３Ｂを通る位置における前後方向の縦断面模式図である。
【発明を実施するための形態】
【０００９】
以下、本発明に係る加熱調理器を、ビルトイン型の誘導加熱調理器に適用した場合の実施の形態を、図面を参照して説明する。本発明は、以下の実施の形態に限定されるものではなく、本発明の主旨を逸脱しない範囲で種々に変形することが可能である。また、本発明は、以下の各実施の形態に示す構成のうち、組合せ可能な構成のあらゆる組合せを含むものである。また、図面に示す加熱調理器は、本発明の加熱調理器が適用される機器の一例を示すものであり、図面に示された加熱調理器によって本発明の適用機器が限定されるものではない。また、以下の説明において、理解を容易にするために方向を表す用語（たとえば「上」、「下」、「右」、「左」、「前」、「後」など）を適宜用いるが、これらは説明のためのものであって、本発明を限定するものではない。また、以下の説明において「上流側」、「下流側」というときには、冷却風の流れにおける上流側、下流側をいうものとする。また、各図において、同一の符号を付したものは、同一の又はこれに相当するものであり、これは明細書の全文において共通している。なお、各図面では、各構成部材の相対的な寸法関係又は形状等が実際のものとは異なる場合がある。
【００１０】
実施の形態１．
図１は、実施の形態１に係る加熱調理器１００が設置されたキッチン家具２００の斜視図である。図１に示すように、加熱調理器１００は、キッチン家具２００に組み込まれて使用される。キッチン家具２００は、作業台として使用される平板状のキッチン天板２０１を有し、このキッチン天板２０１の上に、加熱調理器１００のトッププレート１が露出している。キッチン家具２００には、加熱調理器１００の下側の位置に、収納庫２０２が設けられている。なお、本明細書において加熱調理器１００の「前面」、キッチン家具２００の「前面」というときには、加熱調理器１００またはキッチン家具２００の使用者と対向する面をいい、図１の例では収納庫２０２の扉側が、「前面」である。
【００１１】
本実施の形態の加熱調理器１００は、第１筐体１０（図２参照）の中にグリル加熱庫を備えておらず、この第１筐体１０がキッチン天板２０１に形成された開口に挿入されて、加熱調理器１００がキッチン家具２００に据え付けられる。なお、加熱調理器１００の、キッチン天板２０１の開口に挿入される部分の厚みは、キッチン天板２０１の厚み２０３以下であることが望ましい。ここで、加熱調理器１００の、キッチン天板２０１の開口に挿入される部分の厚みとは、本実施の形態ではトッププレート１の周囲に設けられた枠の裏面と第１筐体１０（図２参照）の底の外表面との間の距離である。加熱調理器１００の、キッチン天板２０１の開口に挿入される部分の厚みが、キッチン天板２０１の厚み２０３よりも大きいと、収納庫２０２の高さに制限が加わり、収納庫２０２の収納量を低減させてしまうからである。また、収納庫２０２内の収納物と加熱調理器１００とが接触してしまうおそれもある。なお、キッチン家具の業界標準においては、キッチン天板２０１の前端の厚みは、４０ｍｍである。したがって、加熱調理器１００の、キッチン天板２０１の開口に挿入される部分の厚みは、４０ｍｍ以下とするのが望ましい。このようにすることで、収納庫２０２の収納量を確保し、また、収納庫２０２の収納物と加熱調理器１００との接触を抑制できる。
【００１２】
図２は、実施の形態１に係る加熱調理器１００の斜視図である。加熱調理器１００は、第１筐体１０を有し、この第１筐体１０の上には被加熱物である調理容器が載置されるトッププレート１が設けられている。トッププレート１には、本実施の形態では２つの加熱口２が設けられている。なお、加熱口２の数は限定されず、１つあるいは３つ以上の加熱口２が設けられていてもよい。
【００１３】
加熱調理器１００の後側には、第１筐体１０からの排気を流出させる筐体排気口４（図４参照）の上を覆う排気口カバー５が設けられている。排気口カバー５には、通風可能な開口が設けられている。排気口カバー５に設けられる開口は、例えば、排気口カバー５の幅と同じかやや小さい幅のスリット状の開口とすることができる。
【００１４】
加熱調理器１００の前側には、使用者からの操作入力を受け付ける操作部６が設けられている。操作部６は、たとえば、押しボタン、ダイヤルスイッチ、静電容量式タッチスイッチ等で構成される。トッププレート１の手前側には、表示部７が設けられている。表示部７は、液晶ディスプレイやＬＥＤ等の視覚的に情報を報知する装置を有し、加熱調理器１００の火力、タイマーの時間等の動作状態や、使用者が操作部６で入力するための選択肢、使用者への警告及び注意喚起の報知を行う。
【００１５】
図３は、実施の形態１に係る加熱調理器１００の下側からの斜視図である。第１筐体１０は、底板１０１を有する。また、第１筐体１０は、四方の側壁として、前板１０２と、後板１０３（図６参照）と、左右一対の側板１０４を有し、これらで平面形状が矩形の箱形を成している。底板１０１には、底板１０１の前後方向の中心よりも前の位置に、筐体吸気口３が設けられている。筐体吸気口３は、本実施の形態では加熱口２と同数、すなわち２個設けられている。本実施の形態の筐体吸気口３は、底板１０１に形成された複数の穴で構成されているが、筐体吸気口３を構成する穴の数及び形状は図示のものに限定されない。
【００１６】
第１筐体１０の後部には、カバー１０６が取り付けられている。カバー１０６は、第１筐体１０の後板１０３（図６参照）を、後板１０３との間に空間を介して後方から覆う部材である。カバー１０６は、第１筐体１０と概ね同じかやや小さい左右幅を有し、第１筐体１０の高さと概ね同じ高さを有する。カバー１０６の底面には、排水口８が形成されている。排水口８は、第１筐体１０内に浸入した吹きこぼれ液等の液体を、第１筐体１０から排出するための開口である。本実施の形態の排水口８は、カバー１０６の左右端のそれぞれに設けられているが、排水口８の数及び位置は図示のものに限定されない。
【００１７】
図４は、実施の形態１に係る加熱調理器１００の、トッププレート１及び排気口カバー５が取り外された状態の斜視図である。第１筐体１０の中には、加熱口２と同数の加熱コイル９が設けられている。加熱コイル９は、第１筐体１０内において左右に並んで配置されている。第１筐体１０内には、前側から順に、送風機１３と、加熱コイル９と、ヒートシンク１２とが、配置されている。ヒートシンク１２は、駆動素子１１に熱的に接続されており、駆動素子１１からの熱を放出する機能を有する。ヒートシンク１２の少なくとも一部は、導風部１４によって上から覆われている。送風機１３、ヒートシンク１２及び導風部１４は、加熱コイル９の底面よりも下に配置されている。ヒートシンク１２は、加熱コイル９と上下に重ならない位置に設けられている。
【００１８】
ここで、説明の便宜上、加熱コイル９、送風機１３、導風部１４、ヒートシンク１２及びヒートシンク１２に熱的に接続された駆動素子１１をまとめて、ユニットと称する。本実施の形態では、第１筐体１０内の左側に第１ユニットが、右側に第２ユニットが、並んで配置されており、第１ユニットと第２ユニットとは、それらを構成する部品の基本的な構造が同じである。さらに、送風機１３及び導風部１４は、第１ユニットと第２ユニットとで同一形状である。第１ユニットと第２ユニットを構成する部品を同一のものとすることで、製造コストの低減につながる。なお、本実施の形態では、第１ユニットと第２ユニットを構成する部品を説明するときには、第１ユニットのものであるか第２ユニットのものであるかを区別せずに説明する。ここで、第１ユニットと第２ユニットを構成する部品のすべてが同じ構造でなくてもよく、たとえば、２つの加熱口２同士で最大出力を異ならせる場合には、２つの加熱コイル９及び駆動素子１１の仕様を異ならせてもよい。
【００１９】
左右方向における第１ユニットと第２ユニットとの間には、電源基板２５と、制御基板２６とが設けられている。本実施の形態では、制御基板２６が前側、電源基板２５が後側に位置するようにして、制御基板２６と電源基板２５とが前後に並んで配置されている。電源基板２５は、駆動基板１８を含む加熱調理器１００の電気部品に電源を供給する回路が実装された基板である。制御基板２６は、操作部６及び表示部７に接続され、操作部６からの入力に基づいて、表示部７並びに駆動基板１８及び電源基板２５に実装された回路を制御する。
【００２０】
第１筐体１０の上端には、外側に向かって張り出すフランジ１０５が設けられている。第１筐体１０の後側に位置するフランジ１０５には、第１筐体１０内と連通する筐体排気口４が設けられている。筐体排気口４は、本実施の形態では加熱口２と同数、すなわち２個設けられている。本実施の形態の筐体排気口４は、左右方向に長い矩形の一つの穴で構成されているが、筐体排気口４を構成する穴の数及び形状は図示のものに限定されない。筐体排気口４から流出した第１筐体１０内の空気は、排気口カバー５（図２、図５、図９参照）に設けられた開口を介して、排気される。なお、筐体排気口４及び排気口カバー５（図２、図５、図９参照）に設けられた開口の幅は、同等に近いのが好ましい。より好ましくは、排気口カバー５（図２、図５、図９参照）に設けられた開口の幅は、筐体排気口４の幅よりも大きいのが好ましい。このようにすることで、筐体排気口４から排気口カバー５の開口に至る排気の圧力損失が低減される。
【００２１】
図５は、実施の形態１に係る加熱調理器１００の内部構造を説明する背面側斜視図である。図５は、トッププレート１、排気口カバー５及びフランジ１０５が取り外された状態の加熱調理器１００を示している。カバー１０６の中には、２つの庇１０７が左右に並べて配置されている。庇１０７は、庇１０７の上側に位置する筐体排気口４から液体が浸入した際に、その液体をより後方へ導くための部材である。庇１０７は、カバー１０６の前側の壁に取り付けられており、その上面が前から後ろに向かって下降している。庇１０７の上に滴下した液体は、庇１０７の上面に導かれて、カバー１０６の後方に落下し、カバー１０６に形成された排水口８（図３参照）から流出する。
【００２２】
図６は、実施の形態１に係る加熱調理器１００の内部構造を説明する斜視図である。図６は、図５から、加熱コイル９、右側の送風機１３及び右側の導風部１４が取り外された状態を示している。
【００２３】
送風機１３は、ファン１３１と、ファン１３１を収容するケーシング１３２とを有する。本実施の形態のファン１３１は遠心ファンであり、ケーシング１３２はファン１３１の外周を囲むスクロールケーシングである。ケーシング１３２の下面には、吸込口１３３が形成され（図１２参照）、ケーシング１３２の後側には吹出口１３４が形成されている。本実施の形態のファン１３１は平面視で時計回り（右回り）に回転し、吹出口１３４はケーシング１３２の左側に設けられている。送風機１３は、その吸込口１３３が、第１筐体１０の底板１０１に形成された筐体吸気口３と対向するようにして、第１筐体１０内に設置されている。
【００２４】
送風機１３の吹出口１３４の開口面は、第１筐体１０の底板１０１と直交する向きである。この送風機１３の上側に配置される加熱コイル９（図４、図５参照）は、その底面が吹出口１３４の開口面を含む面と交差するようにして、配置される。送風機１３の吹出口１３４は、加熱コイル９（図４、図５参照）の中心よりも前側に配置されている。
【００２５】
導風部１４は、前後方向に延びる概ね直線状の流路を内部に有する。導風部１４に設けられた流路には、本実施の形態では、収容されるヒートシンク１２の数と同数の入口が設けられている。本実施の形態では、導風部１４には、第１入口１４１と第２入口１４２とが設けられている。第１入口１４１及び第２入口１４２は、送風機１３の吹出口１３４と対向している。なお、これ以降の説明において、第１入口１４１と第２入口１４２とを区別して説明する必要のないときには、単に導風部１４の入口、あるいは流路１４０の入口、と称する。導風部１４は、駆動基板１８に実装された駆動素子１１及びこの駆動素子１１に熱的に接続されたヒートシンク１２を、上方から覆う。導風部１４は、たとえば合成樹脂又は金属で構成される。図６の例では、ヒートシンク１２のすべてが導風部１４によって上方から覆われているが、ヒートシンク１２の一部、たとえば前側部分が、導風部１４の流路の外に出ていてもよい。
【００２６】
駆動素子１１は、加熱コイル９に高周波電流を供給するインバータ回路に含まれる、スイッチング素子などの発熱量の大きい素子である。駆動素子１１は、たとえばＩＧＢＴ及びダイオードブリッジを含む。
【００２７】
第１筐体１０の後板１０３には、排気口２１が形成されている。排気口２１は、送風機１３と同数、すなわち２個設けられている。排気口２１は、第１筐体１０の内側と外側とを連通させる開口である。排気口２１は、冷却風の第１筐体１０からの実質的に唯一の出口である。本実施の形態では、第１筐体１０の後板１０３にカバー１０６が取り付けられているため、排気口２１は、第１筐体１０の内側とカバー１０６内に形成された排気風路２０とを連通させている。本実施の形態の排気口２１は、左右方向に長い矩形の一つの穴で構成されているが、排気口２１を構成する穴の数及び形状は図示のものに限定されない。また図６の例では、排気口２１の一部が、第１筐体１０の後板１０３の内面に配置された閉塞板１４４によって塞がれている。
【００２８】
送風機１３からの冷却風は、大まかには、導風部１４内に流入し、導風部１４に接続された排気口２１を介してカバー１０６内の排気風路２０に流入する。そして、筐体排気口４（図４）及び排気口カバー５（図５、図９参照）に設けられた開口を介して第１筐体１０の外部に流出する。
【００２９】
図７は、実施の形態１に係る加熱調理器１００の、導風部１４及び駆動基板１８の背面側斜視図である。本実施の形態の導風部１４に設けられた流路１４０は、出口１４３を有する。導風部１４の流路１４０は、図６で示したように第１入口１４１と第２入口１４２という２つの入口を有し、図７に示すように１つの出口１４３を有する。第１入口１４１及び第２入口１４２から流入した空気は、導風部１４内の流路で合流し、出口１４３から流出する。
【００３０】
駆動基板１８は、基板ケース１９に収容されている。基板ケース１９は、たとえば合成樹脂で構成され、駆動基板１８が載置される底とその周囲を囲む周壁とを有している。
【００３１】
図８は、実施の形態１に係る導風部１４の下側からの斜視図である。導風部１４の内部には、一対の側壁１４６及びこの側壁１４６間を接続する上壁１４７で囲まれた流路１４０が形成されている。この流路１４０の中に、ヒートシンク１２及び駆動素子１１が収容される（図６参照）。流路１４０は、第１入口１４１及び第２入口１４２から出口１４３に至るまで、直線的である。
【００３２】
出口１４３は、第１筐体１０に設置されたときに、排気口２１に接続される（図６参照）。出口１４３の開口の形状は、排気口２１と同じであるか、あるいは排気口２１よりも小さい形状である。本実施の形態では、出口１４３は排気口２１よりも大きく、排気口２１の領域のうち、出口１４３が排気口２１に接続されたときに出口１４３の外側に位置する部分は、閉塞板１４４によって覆われる（図６参照）。すなわち排気口２１と導風部１４の出口１４３とは、概ね気密に接続される。
【００３３】
流路１４０内において、第１入口１４１と第２入口１４２との間には、第１遮蔽部１４５が設けられている。第１遮蔽部１４５の構成については後述する。
【００３４】
図９は、実施の形態１に係る加熱調理器１００のトッププレート１が取り外された状態の平面図である。図１０は、実施の形態１に係る加熱調理器１００の、送風機１３を通る横断面模式図である。図１０において破線で示す幅Ｗ１１及び幅Ｗ２１は、送風機１３の吹出口１３４の開口幅を示している。また、破線で示す幅Ｗ１２及び幅Ｗ２２は、導風部１４の流路１４０の入口の幅を示している。本実施の形態では、第１入口１４１と第２入口１４２とが設けられているため、第１入口１４１と第２入口１４２の最も遠い端部同士の間の幅を、幅Ｗ１２又は幅Ｗ２２としている。
【００３５】
図９に示すように、第１ユニットの送風機１３、加熱コイル９及び導風部１４は、前側から後側に向かって、この順で直線上に配置されている。また、第２ユニットの送風機１３、加熱コイル９及び導風部１４も、前側から後側に向かって、この順で直線上に配置されている。
【００３６】
図１０に示すように、第１ユニットの送風機１３の吹出口１３４の幅Ｗ１１を直線的に延長した領域の半分以上が、流路１４０の幅Ｗ１２の領域と重なっている。また、第２ユニットの送風機１３の吹出口１３４の幅Ｗ２１を直線的に延長した領域のすべてが、流路１４０の幅Ｗ２２と重なっている。より詳しくは、幅Ｗ２１を直線的に延長した領域は、流路１４０の幅Ｗ２２の範囲に収まっている。このような配置とすることで、送風機１３の吹出口１３４から直線的に吹き出された冷却風は、その多くが直進し、第１入口１４１又は第２入口１４２を介して流路１４０に流入することができる。送風機１３から導風部１４の流路１４０まで冷却風が直線的に流れることで、冷却風の圧力損失が少なくなる。このため、冷却風量が相対的に増加され、流路１４０内に配置されるヒートシンク１２の冷却性能を高めることができる。また、送風機１３の騒音が低減される。
【００３７】
図１１は、実施の形態１に係る導風部１４の近傍の構造を説明する模式図である。図１１は、導風部１４及び導風部１４の下側に配置される部品を正面視した状態を示している。導風部１４の流路１４０内には、ヒートシンク１２が収容されている。ヒートシンク１２は、板状の複数のフィン１２１を備えている。複数のフィン１２１は、互いに間隔をあけて配置されている。フィン１２１は、平板面が前後方向に沿うようにして配置されている。すなわち、フィン１２１の平板面の延びる方向と、流路１４０の入口（第１入口１４１及び第２入口１４２）と出口１４３とを結ぶ方向（図１０参照）とは、一致している。このため、流路１４０内を流れる冷却風は、フィン１２１の平板面に沿って流れ、フィン１２１を効率的に冷却する。
【００３８】
フィン１２１の下側に、駆動素子１１が熱的に接続されている。冷却風が隣接するフィン１２１同士の間を通過すると、駆動素子１１からの熱は、フィン１２１を介して、フィン１２１同士の隙間を通る冷却風に放出される。これにより、駆動素子１１が冷却される。
【００３９】
本実施の形態では、導風部１４内に２つのヒートシンク１２が配置されている。２つのヒートシンク１２同士の間には、第１遮蔽部１４５が設けられている。第１遮蔽部１４５は、隣り合うヒートシンク１２同士の間を冷却風が流れるのを防ぐ部材である。図１１に示す第１遮蔽部１４５は、板状の部材であり、その平板面が冷却風の流れに対向するように配置されている。第１遮蔽部１４５は、２つのヒートシンク１２の間の空間を塞いでいる。なお、本実施の形態では、第１遮蔽部１４５が、導風部１４を構成する部材の一部で形成されている例を示すが、導風部１４とは別部材で第１遮蔽部１４５が構成されていてもよい。
【００４０】
図１１において、隣り合うフィン１２１とフィン１２１との間の距離を、距離Ｇ１で示している。また、ヒートシンク１２の上端、すなわちフィン１２１の上端と導風部１４の上壁１４７の内面との間の距離を、距離Ｇ２で示している。また、最も側壁１４６に近い位置にあるフィン１２１と側壁１４６の内面との間の距離を、距離Ｇ３で示している。距離Ｇ２及び距離Ｇ３は、距離Ｇ１よりも短い。すなわち、ヒートシンク１２と導風部１４の内面との間の距離（Ｇ２及びＧ３）は、フィン１２１同士の間の距離Ｇ１よりも短い。このため、流路１４０に流入した冷却風は、ヒートシンク１２と導風部１４の内面との間を流れにくくなり、冷却風は専らフィン１２１とフィン１２１との間を流れる。ヒートシンク１２と導風部１４の内面との隙間を冷却風が流れたとしても、その冷却風による駆動素子１１の冷却効果は限定的である。しかし、図１２のような距離Ｇ１、Ｇ２、Ｇ３の寸法関係を採用することで、駆動素子１１の冷却に効果的な、フィン１２１とフィン１２１との間を冷却風がより多く流れるため、駆動素子１１の冷却効果を高めることができる。
【００４１】
図１２は、実施の形態１に係る加熱調理器１００の、前後方向における縦断面模式図である。図１２では、送風機１３の吹出口１３４を通る断面を示している。図１２に示す破線矢印は、冷却風の流れを概念的に示したものである。筐体吸気口３、送風機１３の吸込口１３３、吹出口１３４、加熱コイル９、導風部１４の第２入口１４２、ヒートシンク１２、導風部１４の出口１４３、及び排気口２１は、トッププレート１に垂直な一つの断面上にある。すなわち、前後方向に延びる直線上に、これらの構成が配置されている。
【００４２】
図１２を参照して、冷却風の流れを説明する。送風機１３のファン１３１が回転すると、筐体吸気口３に対向するようにして配置された送風機１３の吸込口１３３から、ケーシング１３２内に空気が吸い込まれる。本実施の形態では筐体吸気口３は第１筐体１０の前後方向の中心よりも前に配置されているため、キッチン家具２００の外側にある比較的低い室温の空気が筐体吸気口３から吸い込まれやすい。筐体吸気口３及び吸込口１３３から吸い込まれた比較的低温の空気は、ファン１３１によって冷却風として吹出口１３４から送出される。
【００４３】
ファン１３１の吹出口１３４から出た冷却風は、実質的に第１筐体１０からの唯一の出口である排気口２１に向かって流れる。吹出口１３４から出た冷却風は、第１筐体１０内に拡散しながら流れるが、上記のように吹出口１３４と排気口２１とは直線上にあるため、吹出口１３４から排気口２１に向かって冷却風が概ね直進することになる。拡散しながら流れる冷却風は、排気口２１に至るまでの過程において、駆動基板１８の上に配置されている加熱コイル９に衝突して、熱伝達によって加熱コイル９を冷却する。このとき、加熱コイル９の周囲に配置されるフェライト等の部品も併せて冷却される。加熱コイル９及びその周辺部品が冷却されることで、加熱コイル９及びその周辺部品の温度上昇に伴う機能低下及び損傷が抑制される。
【００４４】
拡散しながら後方へ向かって流れる冷却風は、実質的に第１筐体１０からの唯一の冷却風の出口である排気口２１の上流側に位置する導風部１４に向かう。そして、冷却風は、導風部１４の第２入口１４２を介して導風部１４内に流入し、導風部１４内のヒートシンク１２を冷却する。送風機１３から送出された冷却風は、後方へ向かって拡散しながら流れ、最終的にはすべて導風部１４の流路１４０内を通過し、流路１４０内を通過する過程でヒートシンク１２を冷却する。冷却風のすべてが、ヒートシンク１２の冷却に用いられるので、ヒートシンク１２の冷却効率を高めることができる。ヒートシンク１２が冷却されることで、ヒートシンク１２に熱的に接続された駆動素子１１が冷却され、駆動素子１１の温度上昇による機能低下及び損傷が抑制される。
【００４５】
ヒートシンク１２を冷却した冷却風は、導風部１４の出口１４３及び排気口２１を介して、第１筐体１０の外へ出る。第１筐体１０の外側であって排気口２１と対向する位置には、カバー１０６が設けられている。排気風路として機能するこのカバー１０６の中を通った冷却風は、筐体排気口４及び排気口カバー５に形成された開口を介して加熱調理器１００の外へ流出する。
【００４６】
本実施の形態によれば、筐体吸気口３、送風機１３の吸込口１３３、吹出口１３４、加熱コイル９、導風部１４の入口（第１入口１４１及び第２入口１４２）、ヒートシンク１２、導風部１４の出口１４３、及び排気口２１は、直線上に配置されている。このため、送風機１３の吹出口１３４から送出された冷却風は、吹出口１３４から出た後に拡散しても、導風部１４の入口に集まって導風部１４内の流路１４０に流入する。そして、流路１４０内のヒートシンク１２の周囲を冷却風が通過する。このように、送風機１３から送出された冷却風のすべてが、排気口２１から出る前に導風部１４内のヒートシンク１２の周囲を通過するため、ヒートシンク１２を効果的に冷却することができる。また、送風機１３から導風部１４に至る冷却風の風路上に、加熱コイル９が配置されている。このため、送風機１３から導風部１４に向かう冷却風によって、加熱コイル９が効果的に冷却される。このように、ヒートシンク１２及び加熱コイル９を冷却する性能が向上するので、加熱調理器１００の特に第１筐体１０を薄型化することができる。
【００４７】
図１０で示したように、吹出口１３４と導風部１４の入口（第１入口１４１及び第２入口１４２）とは、幅方向においても少なくとも一部が重複している。より好ましくは、正面視された状態において、吹出口１３４の幅の半分以上の領域が、導風部１４の入口と重なっている。このため、送風機１３の吹出口１３４から送出された冷却風は、直線的に導風部１４内に流入する。吹出口１３４から導風部１４に至るまでの冷却風の圧力損失が抑制されるため、ヒートシンク１２に供給される冷却風量が増加し、ヒートシンク１２を冷却する冷却性能が高まる。冷却性能が高まることで、送風機１３の騒音を低減させることができる。また、送風機１３の吹出口１３４と導風部１４の入口（図１２では第２入口１４２）との上下方向の位置関係をみると、両者はその高さ方向において少なくとも一部が重複している。吹出口１３４が正面視された状態において、吹出口１３４の開口面の半分以上の領域が、導風部１４の入口（第１入口１４１及び第２入口１４２）と重なっているのが好ましい。このようにすることで、吹出口１３４から導風部１４に至るまでの冷却風の圧力損失を抑制する効果が高まる。
【００４８】
また、本実施の形態では、導風部１４内に複数のヒートシンク１２が並列に配置されている。そして、隣り合うヒートシンク１２同士の間は、第１遮蔽部１４５によって塞がれている。したがって、ヒートシンク１２とヒートシンク１２との間には冷却風が流れず、冷却風はヒートシンク１２それぞれのフィン１２１の周囲のみを流れる。ヒートシンク１２の冷却に効果的な領域を冷却風が流れるため、ヒートシンク１２の冷却効果を高めることができる。第１遮蔽部１４５は、合成樹脂等の電気的絶縁性の高い材料で構成されるのが好ましい。このようにすることで、隣り合うヒートシンク１２とヒートシンク１２との電気的絶縁性が高められ、短絡等の不具合が軽減されて加熱調理器１００の品質及び信頼性が高まる。
【００４９】
また、本実施の形態では、導風部１４の流路１４０には、収容される２つのヒートシンク１２と同数の入口（第１入口１４１及び第２入口１４２）が設けられ、一つの出口１４３が設けられている。そして、流路１４０のうち、ヒートシンク１２の下流側の部分は、出口１４３に連なる一つの流路として形成されている。このため、複数のヒートシンク１２それぞれの周囲を通過した冷却風は、ヒートシンク１２の下流側において合流し、出口１４３を介して流路１４０から流出する。ヒートシンク１２を通過した後の流路１４０の断面積が相対的に広くなるため、ヒートシンク１２の通過後は冷却風の風速が低くなり、冷却風の圧力損失が低減される。
【００５０】
実施の形態２．
本実施の形態では、実施の形態１で説明した構成に対し、導風効果を高めるための部材をさらに加えた構成例を説明する。本実施の形態では、実施の形態１との相違点を中心に説明する。
【００５１】
図１３は、実施の形態２に係る加熱調理器１００の、トッププレート１が取り外された状態の斜視図である。図１４は、実施の形態２に係る導風部１４の下側からの斜視図である。本実施の形態の加熱調理器１００には、第２遮蔽部１５が設けられている。第２遮蔽部１５は、ヒートシンク１２の下側に取り付けられる駆動素子１１（図１１参照）の前側に設けられ、駆動素子１１を送風機１３の吹出口１３４に対して覆う部材である。送風機１３からの冷却風の流れ方向において、駆動素子１１の上流側に、第２遮蔽部１５が設けられている。第２遮蔽部１５は、本実施の形態では平板状の部材であり、平板面の一方が送風機１３側、他方が駆動素子１１側を向くようにして配置されている。なお、本実施の形態の第２遮蔽部１５は、導風部１４と一体の部材として設けられているが、第２遮蔽部１５は導風部１４とは別の部材として設けられていてもよい。
【００５２】
図１５は、実施の形態２に係る加熱調理器１００の内部構造を説明する斜視図である。図１５は、図１３から、操作部６、表示部７、加熱コイル９、フランジ１０５及び排気口カバー５が取り外された状態を示している。図１６は、実施の形態２に係る加熱調理器１００の、内部構造を説明する平面図である。図１６は、図１５の平面図である。図１７は、実施の形態２に係る加熱調理器１００の、前後方向における縦断面模式図である。図１７は、図１６のＡ−Ａ位置における加熱調理器１００の断面である。
【００５３】
送風機１３の吹出口１３４には、第２導風部１６が設けられている。第２導風部１６は、送風機１３の吹出口１３４から送出される冷却風を方向付けるための部材である。第２導風部１６は、第１壁１６１と、第２壁１６２と、第３壁１６３とを有する。
【００５４】
図１５、図１６及び図１７に示すように、第１壁１６１は、吹出口１３４から後方すなわち導風部１４に向かって延びる板状の部材である。第１壁１６１の平板面は、上に向いている。図１７に示すように、第１壁１６１の下端は、吹出口１３４の下縁に接続されている。第１壁１６１の上面は、吹出口１３４から離れるほど上昇している。本実施の形態では、このような第１壁１６１を備えているため、吹出口１３４から送出される冷却風は、第１壁１６１の上面に導かれて、上方に向かって進む。このため、吹出口１３４よりも上方にある加熱コイル９に向かう冷却風が形成され、加熱コイル９の冷却効率を高めることができる。冷却風は、加熱コイル９の底面に対して交差する向きで衝突するので、冷却風の衝突噴流熱伝達の効果により、加熱コイル９の冷却効率が高まる。
【００５５】
吹出口１３４の開口面に対して、第１壁１６１の上面がなす角度を、図１７ではθで表している。角度θは、４５度以下であることが好ましい。このように構成することで、第１壁１６１の上面に導かれる冷却風が、加熱コイル９の底面に衝突する角度は、水平よりも垂直により近づく。したがって、冷却風の衝突噴流熱伝達の効果が高まり、加熱コイル９の冷却効率を高めることができる。
【００５６】
図１５及び図１６に示すように、第２壁１６２は、上下に起立し、吹出口１３４の側方の縁から後方すなわち導風部１４に向かって延びる板状の部材である。第２壁１６２の前端、すなわち冷却風の流れ方向において上流側の端部は、吹出口１３４の左右の縁のうち、第１筐体１０の左右の中心に近い方の縁に接続されている。図１６に示すように平面視の状態において、第２壁１６２は、吹出口１３４から離れるほど、第１筐体１０の中心に近い方の縁の外側に向かって傾斜している。すなわち第２壁１６２は、吹出口１３４から送出される冷却風を、吹出口１３４の幅の範囲内よりも外側に導く。
【００５７】
本実施の形態では、第１筐体１０内において左右の側板１０４に近い位置に、第１ユニットと第２ユニットが配置されている。このため、第１筐体１０内の左右の中心付近は、熱がこもりやすい。しかし、本実施の形態では第２壁１６２によって送風機１３からの冷却風が第１筐体１０内の左右の中心付近に導かれるため、この中央付近の熱を冷却風で排出することができる。なお、実施の形態１と同様に、実質的に第１筐体１０内からの冷却風の唯一の出口は、導風部１４の出口１４３に接続された排気口２１である。したがって、第２壁１６２によって第１筐体１０の中央に導かれた冷却風も、導風部１４に集まって排気口２１から流出する。
【００５８】
図１５及び図１６に示すように、第３壁１６３は、上下に起立し、吹出口１３４の側方の縁から後方すなわち導風部１４に向かって延びる板状の部材である。第３壁１６３の前端、すなわち冷却風の流れ方向において上流側の端部は、吹出口１３４の左右の縁のうち、第１筐体１０の側板１０４に近い方の縁に接続されている。図１６に示すように平面視の状態において、第３壁１６３は、吹出口１３４から後方に向かってまっすぐに延びている。第３壁１６３は、第１筐体１０の側板１０４と概ね平行である。送風機１３から送出された冷却風は、第３壁１６３に導かれて直進する。このため、吹出口１３４と対向する位置にある導風部１４及び導風部１４内のヒートシンク１２に、冷却風を圧力損失の少ない状態で供給することができる。
【００５９】
図１７に示すように、冷却風の流れ方向において駆動素子１１の上流側には、第２遮蔽部１５が設けられている。第２遮蔽部１５は、駆動素子１１を、送風機１３の吹出口１３４に対して覆っている。このため、送風機１３から送出された冷却風は、駆動素子１１が設置された空間、すなわちヒートシンク１２の下側には流入しない。このように、第２遮蔽部１５を設けることで、駆動素子１１の冷却への寄与度合いが低い冷却風の流れを抑制し、ヒートシンク１２という駆動素子１１の冷却に寄与する部品により多くの冷却風を供給することができる。このため、効率よく駆動素子１１が冷却される。
【００６０】
実施の形態３．
本実施の形態は、加熱庫５０を備えた点が、実施の形態１、２と異なる。本実施の形態では、実施の形態１、２との相違点を中心に説明する。また、本実施の形態では、平面視で左右に配置された第１ユニット及び第２ユニットを構成する部材のうちの一部の部材は、構造又は配置が第１ユニットと第２ユニットとで異なる。第１ユニットと第２ユニットとで異なる構成を有するものを区別して説明するため、第１ユニットに属するものには添え字Ａを付け、第２ユニットに属するものには添え字Ｂを付ける。また、本実施の形態は、実施の形態１、２のそれぞれと組み合わせることができる。
【００６１】
図１８は、実施の形態３に係る加熱調理器１００が設置されたキッチン家具２００の斜視図である。図１８に示すように、加熱調理器１００は、キッチン家具２００に組み込まれたときにキッチン天板２０１よりも下側となる位置に、加熱庫５０を備える。加熱庫５０は、前面側に扉５１を有し、加熱庫５０内には加熱装置を備える。加熱装置の具体例としては、抵抗発熱体、誘導加熱コイル、マイクロ波加熱装置、又は過熱水蒸気が挙げられる。加熱庫５０は、たとえば、グリル庫、電子レンジ、あるいは炊飯器として利用されうる。また、加熱庫５０の左側には操作部２８を備え、右側には操作部２９を備える。操作部２８及び操作部２９は、加熱庫５０における操作指示を入力するための装置である。
【００６２】
図１９は、実施の形態３に係る加熱調理器１００の内部構造を説明する斜視図である。図１９は、トッププレート１及び排気口カバー５が取り外された状態の加熱調理器１００を示している。第１筐体１０の下側には、加熱庫５０を収容した第２筐体４０が設けられている。第２筐体４０の前部には、第２筐体吸気口４１が形成されている。また、第２筐体４０の前側には、操作部２８及び操作部２９の周囲を覆う操作部カバー４２が取り付けられている。
【００６３】
本実施の形態では、第１ユニットの送風機１３Ａと第２ユニットの送風機１３Ｂとを区別して表している。また、第１ユニットには、ダクト３０Ａが設けられ、第２ユニットには、ダクト３０Ｂが設けられている。これらの構造及び配置については後述する。
【００６４】
図２０は、実施の形態３に係る加熱調理器１００の、内部構造を説明する斜視図である。図２０は、図１９から加熱コイル９、第１筐体１０の上側の部品及び操作部カバー４２が取り外された状態を示している。第２筐体吸気口４１は、第２筐体４０の上板４０１と前板４０２の双方に、設けられている。本実施の形態の第２筐体吸気口４１は、複数の丸穴で構成されているが、第２筐体吸気口４１を構成する穴の数及び形状は、図示のものに限定されない。前述の図１９に示した操作部カバー４２は、前板４０２に形成された第２筐体吸気口４１との間に隙間が形成されるようにして取り付けられ、この隙間及び第２筐体吸気口４１を介して、空気が第２筐体４０の中に吸い込まれる。前板４０２は、操作部カバー４２で覆われるため、第２筐体吸気口４１の総開口面積を大きくしても外観を損なうことがない。このため、第２筐体吸気口４１の総開口面積を大きくして吸気に伴う圧力損失を低減することができ、かつ加熱調理器１００の前面側の意匠性を高めることができる。
【００６５】
送風機１３Ａと送風機１３Ｂとは、基本的な構造は同じであるが、設置された向きが異なる。具体的には、送風機１３Ａの吹出口１３４Ａは、実施の形態１及び実施の形態２と同様に導風部１４と対向するように開口している。他方、送風機１３Ｂの吹出口１３４Ｂは、吹出口１３４Ａに対して平面視において９０度左側に回転させた向きで、開口している。すなわち、吹出口１３４Ｂは、後ではなく左を向いている。
【００６６】
送風機１３Ａの吹出口１３４Ａには、ダクト３０Ａが接続されている。ダクト３０Ａは、送風機１３Ａからの冷却風を、第１ユニットの導風部１４に導く。送風機１３Ｂの吹出口１３４Ｂには、ダクト３０Ｂが接続されている。ダクト３０Ｂは、送風機１３Ｂからの冷却風を、第２ユニットの導風部１４に導く。ダクト３０Ａとダクト３０Ｂとは、冷却風を導風部１４に導くという機能においては同じであるが、その形状が異なっている。
【００６７】
ダクト３０Ａの第１端部３０１Ａは、送風機１３Ａの吹出口１３４Ａの一部に接続され、第２端部３０２Ａは、導風部１４の第１入口１４１及び第２入口１４２と対面する位置に配置されている。より詳しくは、第２端部３０２Ａは、導風部１４の第１入口１４１及び第２入口１４２の下側部分と対面する位置に配置されている。第２端部３０２Ａの高さ位置は、導風部１４の入口の上端よりも低い位置にある。ダクト３０Ａの流路は、第１端部３０１Ａから導風部１４に向かって後方へ直線状に延び、導風部１４の手前側において幅方向に広がる形状を有している。第２端部３０２Ａの幅は、導風部１４の幅と概ね等しい。したがって、送風機１３Ａの吹出口１３４Ａから送出され、第１端部３０１Ａからダクト３０Ａ内に流入した冷却風は、ダクト３０Ａ内を流れ、第２端部３０２Ａから流出する。第２端部３０２Ａから流出した冷却風は、対向する位置にある導風部１４の入口から導風部１４内に流入する。
【００６８】
ダクト３０Ｂの第１端部３０１Ｂは、送風機１３Ｂの吹出口１３４Ｂに接続され、第２端部３０２Ｂは、導風部１４の入口と対面する位置に配置されている。より詳しくは、第２端部３０２Ｂは、導風部１４の入口の下側部分と対面する位置に配置されている。第２端部３０２Ｂの高さ位置は、導風部１４の入口の上端よりも低い位置にある。ダクト３０Ｂの流路は、第１端部３０１Ｂから直線状に延び、概ね９０度曲がり、導風部１４に向かって後方へ直線状に延び、導風部１４の手前側において幅方向に広がる形状を有している。第２端部３０２Ｂの幅は、導風部１４の幅と概ね等しい。なお、後述の図２４で示すように、ダクト３０Ｂは、第１端部３０１Ｂと第２端部３０２Ｂとの間において、冷却風の一部を分流させる構成を有している。送風機１３Ｂの吹出口１３４Ｂから送出され、第１端部３０１Ｂからダクト３０Ｂ内に流入した冷却風は、ダクト３０Ｂ内を概ね９０度曲がった方向に進み、第２端部３０２Ｂから流出する。第２端部３０２Ｂから流出した冷却風は、対向する位置にある導風部１４の入口から導風部１４内に流入する。ダクト３０Ｂ内に曲がった流路を構成する壁のうち、流路の曲げ中心から遠い側の側壁は、曲面で構成されている。ダクト３０Ｂの曲がりを曲面で構成することで、流路を流れる冷却風の圧力損失を低減することができる。圧力損失を低減することで、送風機１３Ｂの騒音を低減することができる。
【００６９】
図２１は、実施の形態３に係る加熱調理器１００の下側からの斜視図である。第１筐体１０は、実施の形態１と同じ構成である。前述の図２０に示した第２筐体４０は、この第１筐体１０の下側に取り付けられる。第１筐体１０の下側に第２筐体４０を設けなければ、構造的には実施の形態１、２で示した薄型のビルトイン加熱調理器を得ることもできる。このため、実施の形態１、２のような薄型の加熱調理器１００と、実施の形態３の加熱庫５０を備えた加熱調理器１００の、両方を製造する場合であっても、第１筐体１０を共用できるため、製造コストを低減することができる。
【００７０】
カバー１０６は、実施の形態１とは異なり、下面に開口１０８を有する。この開口１０８は、カバー１０６内に形成される排気風路２０と、第２筐体４０の内部とを連通させるためのものである。第２筐体４０からの排気は、この開口１０８を介してカバー１０６内の排気風路２０に流入する。カバー１０６は、第１筐体１０に対してねじ等によって着脱可能に取り付けられるのが好ましい。このようにすることで、第２筐体４０が取り付けられる場合（本実施の形態）と、第２筐体４０が取り付けられない場合（実施の形態１、２）とで、共通の第１筐体１０を用いながら必要な排気を実現することができる。
【００７１】
図２２は、実施の形態３に係る第２筐体４０の斜視図である。加熱庫５０の後部には、加熱庫排気ダクト５２が設けられている。加熱庫排気ダクト５２は、加熱庫５０内と連通し、加熱庫５０内の排気を外部に導く。加熱庫排気ダクト５２は、カバー１０６の開口１０８（図２１参照）を介して、排気風路２０と連通する。
【００７２】
第２筐体４０の前側には、左右に吸気風路４３が設けられている。吸気風路４３は、第２筐体４０の第２筐体吸気口４１と連通し、第２筐体吸気口４１から吸い込まれた冷却風の一部を、第１筐体１０の筐体吸気口３（図２１参照）に導く。本実施の形態の吸気風路４３は、底と、この底から起立する壁によって囲まれた空間である。第２筐体４０の吸気風路４３により導かれる冷却風は、専ら第１筐体１０内の冷却に用いられる。なお、図２２に符号４１ａで示すように、第２筐体４０の側面にも第２筐体吸気口４１ａを設けてもよい。
【００７３】
図２３は、実施の形態３に係る加熱調理器１００の内部構造を説明する平面図である。図２３は、トッププレート１及び排気口カバー５が取り外された状態の加熱調理器１００を示している。左側の送風機１３Ａと右側の送風機１３Ｂとは、基本的な構造は同じであるが、配置されている向きが異なる。右側の送風機１３Ｂは、平面視で反時計回り（左回り）に、送風機１３Ａを９０度回転させたのと同じ向きである。
【００７４】
ダクト３０Ａの冷却風の出口である第２端部３０２Ａの幅は、導風部１４の入口の幅と概ね等しい。また、ダクト３０Ｂの冷却風の出口である第２端部３０２Ｂの幅は、導風部１４の入口の幅と概ね等しい。このため、第２端部３０２Ａ又は第２端部３０２Ｂから流出した冷却風は、導風部１４の幅方向の全体に流入する。したがって、導風部１４内に配置されるヒートシンク１２の幅方向に亘って冷却風が供給され、ヒートシンク１２がむらなく冷却される。
【００７５】
また、ダクト３０Ａの冷却風の出口である第２端部３０２Ａと、導風部１４の第１入口１４１及び第２入口１４２とは、近接しており、より好ましくは接触している。このように、第２端部３０２Ａと、導風部１４の第１入口１４１及び第２入口１４２との間の隙間を少なくすることで、第２端部３０２Ａから流出した冷却風が導風部１４内に流入するまでに拡散しにくい。ここで、第２端部３０２Ａから流出した冷却風が拡散すると、拡散した冷却風は周囲からの伝熱によって高温化し、そうなると導風部１４内に流入する冷却風も高温化してヒートシンク１２の冷却効率が低下してしまう。しかし、本実施の形態によれば、第２端部３０２Ａと導風部１４との間で冷却風の拡散が抑制されるので、ダクト３０Ａによって導かれた低温の冷却風が導風部１４内に供給される。したがって、導風部１４内に配置されるヒートシンク１２の冷却効率を高めることができる。このことは、ダクト３０Ｂの第２端部３０２Ｂについても同様に当てはまる。
【００７６】
図２４は、実施の形態３に係る加熱調理器１００の、横断面模式図である。図２４は、ダクト３０Ａ及びダクト３０Ｂを通る水平断面を示している。前述したように、右側の送風機１３Ｂは、送風機１３Ａを基準にすると反時計回りに９０度回転させた向きであるが、このような構成を採用しているのは、送風機１３Ｂを第１筐体１０の右側の側板１０４に寄せるのが目的である。送風機１３Ｂを右側の側板１０４に寄せることで、送風機１３Ｂの吸込口１３３Ｂ（図２８参照）も右側の側板１０４に近づく。そうすると、吸込口１３３Ｂと連通する筐体吸気口３及び第２筐体吸気口４１も、右側の側板１０４に近い位置に形成することができる。第２筐体吸気口４１を、右側の側板１０４に近い位置に配置すると、第２筐体４０内の左右の中央付近への部品の配置の自由度が高まる。このため、第２筐体４０の左右の中央付近に、左右幅の広い加熱庫５０を配置することも可能になる。
【００７７】
送風機１３Ａの吹出口１３４Ａには、第２導風部１６Ａが設けられている。実施の形態１の第２導風部１６は、吹出口１３４の幅方向の全体に亘って設けられていたが、本実施の形態の第２導風部１６Ａは、吹出口１３４Ａの幅方向の一部に設けられている。図２４に示されるように、吹出口１３４Ａの幅方向の一部にダクト３０Ａの第１端部３０１Ａが接続され、残りの部分に第２導風部１６Ａが接続されている。
【００７８】
第２導風部１６Ａは、その幅が実施の形態１の第２導風部１６と比べて短い。しかし、第２導風部１６Ａの第１壁１６１Ａ、第２壁１６２Ａ及び第３壁１６３Ａの構造及び機能は、実施の形態１の第２導風部１６の第１壁１６１、第２壁１６２及び第３壁１６３と同じである。
【００７９】
送風機１３Ａの吹出口１３４Ａから送出された冷却風の一部は、ダクト３０Ａ内を流れ、他の一部は、第２導風部１６Ａに導かれてダクト３０Ａの外側を流れる。
【００８０】
第２導風部１６Ｂの第１壁１６１Ｂ、第２壁１６２Ｂ及び第３壁１６３Ｂの構造及び機能は、第２導風部１６Ａの第１壁１６１Ａ、第２壁１６２Ａ及び第３壁１６３Ａの構造及び機能と同じである。第２導風部１６Ｂは、接続対象が、第２導風部１６Ａと異なる。具体的には、ダクト３０Ｂは、直線状の流路の一部から分岐した第３端部３０３Ｂを有している。第３端部３０３Ｂは、ダクト３０Ｂ内を流れる冷却風を、第２導風部１６Ｂに導く開口である。第２導風部１６Ｂは、ダクト３０Ｂの第３端部３０３Ｂに接続されている。
【００８１】
送風機１３Ｂの吹出口１３４Ｂから送出された冷却風はダクト３０Ｂ内を流れ、冷却風の一部はそのままダクト３０Ｂ内を流れ、他の一部は第２導風部１６Ｂに導かれてダクト３０Ｂの外側を流れる。
【００８２】
図２５は、実施の形態３に係る加熱調理器１００の、ダクト３０Ａを通る位置における前後方向の縦断面模式図である。図２５は、図２４のＢ−Ｂ位置における加熱調理器１００の断面を示している。図２５において、冷却風の流れを破線矢印で概念的に示している。送風機１３Ａが動作すると、上板４０１及び前板４０２に設けられた第２筐体吸気口４１に空気が吸い込まれる。第２筐体吸気口４１から吸い込まれた空気は、吸気風路４３及び筐体吸気口３を介して送風機１３Ａに吸い込まれる。送風機１３Ａに吸い込まれた空気は、冷却風として送風機１３Ａから送出される。送風機１３Ａから送出された冷却風は、ダクト３０Ａを通って後方へ直進し、第２端部３０２Ａ及び第１入口１４１を介して導風部１４内に流入する。導風部１４内に流入した冷却風の作用は、実施の形態１で述べたとおりである。第２筐体吸気口４１を介して、加熱調理器１００の前面側の比較的低温の空気を吸い込むことができ、この低温の空気で第１筐体１０内を効率よく冷却できる。
【００８３】
また、本実施の形態の加熱調理器１００の、キッチン天板２０１の開口に挿入される部分の厚みＤ１は、キッチン天板２０１の厚み２０３以下であることが望ましい。本実施の形態における厚みＤ１は、トッププレート１の周囲に設けられた枠の裏面と第１筐体１０の底の外表面との間の距離である。なお、キッチン家具の業界標準においては、キッチン天板２０１の厚みは、４０ｍｍである。したがって、加熱調理器１００の、キッチン天板２０１の開口に挿入される部分の厚みは、４０ｍｍ以下とするのが望ましい。
【００８４】
図２６は、実施の形態３に係る加熱調理器１００の、第２導風部１６Ａを通る位置における前後方向の断面模式図である。図２６は、図２４のＣ−Ｃ位置における加熱調理器１００の断面を示している。図２６において、冷却風の流れを破線矢印と塗りつぶし矢印で概念的に示している。送風機１３Ａが動作すると、上板４０１及び前板４０２に設けられた第２筐体吸気口４１に空気が吸い込まれる。第２筐体吸気口４１から吸い込まれた空気は、吸気風路４３及び筐体吸気口３を介して送風機１３Ａに吸い込まれる。送風機１３Ａに吸い込まれた空気は、冷却風として送風機１３Ａから送出される。送風機１３Ａから送出された冷却風は、吹出口１３４Ａを出て、第２導風部１６Ａの第１壁１６１Ａの上面に導かれて、上方に向かって進む。上方へ向かう冷却風は、加熱コイル９に衝突して加熱コイル９を冷却し、後方に向かって進む。
【００８５】
後方に向かって進んだ冷却風は、導風部１４の入口のうち、ダクト３０Ａの上端よりも上側から、導風部１４内に流入する。本実施の形態においても、実施の形態１と同様に、冷却風の第１筐体１０からの実質的に唯一の出口は、導風部１４に接続された排気口２１（図６参照）である。したがって、吹出口１３４Ａから流出して拡散しながら第１筐体１０内を流れた冷却風は、導風部１４の入口の上部に集まって導風部１４内に流入する。
【００８６】
図２５及び図２６で説明したように、送風機１３Ａから送出された冷却風のすべてが、排気口２１から出る前に導風部１４内のヒートシンク１２の周囲を通過するため、ヒートシンク１２を効果的に冷却することができる。また、導風部１４内に流入してヒートシンク１２を冷却する冷却風のうち、ダクト３０Ａ内を通る冷却風は、加熱コイル９の周囲を流れていない比較的低温の冷却風である。したがって、ヒートシンク１２を、より効率的に冷却することができる。なお、図２５及び図２６で示した、ダクト３０Ａ及び第２導風部１６Ａから導風部１４内に流入する冷却風の作用は、ダクト３０Ｂ及び第２導風部１６Ｂから導風部１４内に流入する冷却風にも当てはまる。
【００８７】
さらに本実施の形態の第２筐体４０の内部には、第２送風機５３が設けられている。本実施の形態の第２送風機５３は、その吸込口５３１が第２筐体吸気口４１と対向する位置に設けられている。このため、第２送風機５３に吸い込まれる空気の圧力損失が低減される。第２送風機５３は、本実施の形態では遠心ファンを有している。
【００８８】
図２７は、実施の形態３に係る加熱調理器１００の、加熱庫５０を通る位置における前後方向の縦断面模式図である。図２７は、図２４のＤ−Ｄ位置における加熱調理器１００の断面を示している。図２６及び図２７を参照して、第２送風機５３の構造及び機能を説明する。第２送風機５３の吹出口５３２は、図２７に示すように、第２筐体４０の左右の中心側に向いて開口している。また、図２６に示すように、吸気風路４３は、第１筐体１０の筐体吸気口３と上下に対向する位置に設けられている。
【００８９】
第２送風機５３が動作すると、図２６に塗りつぶし矢印で示すように、第２筐体４０の前板４０２と操作部カバー４２との間に形成された隙間から、上板４０１及び前板４０２に設けられた第２筐体吸気口４１に空気が吸い込まれる。第２筐体吸気口４１から吸い込まれた空気は、図２７に塗りつぶし矢印で示すように第２送風機５３の吹出口５３２から送出され、加熱庫５０の上側を流れて加熱庫５０及びその周囲を冷却する。また、図示されていないが、第２送風機５３からの冷却風は、加熱庫５０の底と第２筐体４０の底との間の空間を流れ、加熱庫５０及びその周囲を冷却する。このように、加熱庫５０及びその周囲に冷却風を送ることで、加熱庫５０から第１筐体１０及び第２筐体４０への伝熱による温度上昇を抑制して、加熱調理器１００の動作の安定と熱による劣化を軽減することができる。
【００９０】
図２８は、実施の形態３に係る加熱調理器１００の、送風機１３Ｂを通る位置における前後方向の縦断面模式図である。図２８は、図２４のＥ−Ｅ位置における加熱調理器１００の断面を示している。図２８では、冷却風の流れを矢印で概念的に示している。送風機１３Ｂが動作すると、上板４０１及び前板４０２に設けられた第２筐体吸気口４１に空気が吸い込まれる。第２筐体吸気口４１から吸い込まれた空気は、吸気風路４３及び筐体吸気口３を介して送風機１３Ｂに吸い込まれる。送風機１３Ｂに吸い込まれた空気は、冷却風として送風機１３Ｂから送出される。送風機１３Ｂから送出される冷却風の作用は、図２５及び図２６を参照して述べたとおりである。
【００９１】
本実施の形態では、第１筐体１０の下側に、加熱庫５０を有する第２筐体４０を設けた。このため、トッププレート１の上での加熱調理に加え、加熱庫５０内での加熱調理も可能となり、使用者の利便性が向上する。
【００９２】
なお、実施の形態１〜３では、２つのユニット（加熱コイル９、駆動素子１１、ヒートシンク１２、送風機１３及び導風部１４）を設けた例を説明したが、ユニットの数は１つであってもよいし、３つ以上であってもよい。
【００９３】
なお、実施の形態１〜３では、時計回り（右回り）に回転する遠心式の送風機１３を例に説明したが、反時計回り（左回り）に回転する送風機を採用することもできる。その場合には、上記した送風機１３、送風機１３Ａ及び送風機１３Ｂ並びにダクト３０Ａ及びダクト３０Ｂ左右の配置が逆になる。
【符号の説明】
【００９４】
１  トッププレート、２  加熱口、３  筐体吸気口、４  筐体排気口、５  排気口カバー、６  操作部、７  表示部、８  排水口、９  加熱コイル、１０  第１筐体、１１  駆動素子、１２  ヒートシンク、１３  送風機、１３Ａ  送風機、１３Ｂ  送風機、１４  導風部、１５  第２遮蔽部、１６  第２導風部、１６Ａ  第２導風部、１６Ｂ  第２導風部、１８  駆動基板、１９  基板ケース、２０  排気風路、２１  排気口、２５  電源基板、２６  制御基板、２８  操作部、２９  操作部、３０Ａ  ダクト、３０Ｂ  ダクト、４０  第２筐体、４１  第２筐体吸気口、４１ａ  第２筐体吸気口、４２  操作部カバー、４３  吸気風路、５０  加熱庫、５１  扉、５２  加熱庫排気ダクト、５３  第２送風機、１００  加熱調理器、１０１  底板、１０２  前板、１０３  後板、１０４  側板、１０５  フランジ、１０６  カバー、１０７  庇、１０８  開口、１２１  フィン、１３１  ファン、１３２  ケーシング、１３３  吸込口、１３３Ｂ  吸込口、１３４  吹出口、１３４Ａ  吹出口、１３４Ｂ  吹出口、１４０  流路、１４１  第１入口、１４２  第２入口、１４３  出口、１４４  閉塞板、１４５  第１遮蔽部、１４６  側壁、１４７  上壁、１６１  第１壁、１６１Ａ  第１壁、１６１Ｂ  第１壁、１６２  第２壁、１６２Ａ  第２壁、１６２Ｂ  第２壁、１６３  第３壁、１６３Ａ  第３壁、１６３Ｂ  第３壁、２００  キッチン家具、２０１  キッチン天板、２０２  収納庫、２０３  厚み、３０１Ａ  第１端部、３０１Ｂ  第１端部、３０２Ａ  第２端部、３０２Ｂ  第２端部、３０３Ｂ  第３端部、４０１  上板、４０２  前板、５３１  吸込口、５３２  吹出口。
【図１】
2019220383.tif 000003
【図２】
2019220383.tif 000004
【図３】
2019220383.tif 000005
【図４】
2019220383.tif 000006
【図５】
2019220383.tif 000007
【図６】
2019220383.tif 000008
【図７】
2019220383.tif 000009
【図８】
2019220383.tif 000010
【図９】
2019220383.tif 000011
【図１０】
2019220383.tif 000012
【図１１】
2019220383.tif 000013
【図１２】
2019220383.tif 000014
【図１３】
2019220383.tif 000015
【図１４】
2019220383.tif 000016
【図１５】
2019220383.tif 000017
【図１６】
2019220383.tif 000018
【図１７】
2019220383.tif 000019
【図１８】
2019220383.tif 000020
【図１９】
2019220383.tif 000021
【図２０】
2019220383.tif 000022
【図２１】
2019220383.tif 000023
【図２２】
2019220383.tif 000024
【図２３】
2019220383.tif 000025
【図２４】
2019220383.tif 000026
【図２５】
2019220383.tif 000027
【図２６】
2019220383.tif 000028
【図２７】
2019220383.tif 000029
【図２８】
2019220383.tif 000030